(57)【特許請求の範囲】
【請求項１】
電磁誘導方式又は電磁結合方式により近距離無線通信するループアンテナと、
前記ループアンテナの両端に接続され、静電結合方式により通信し、導電性を有する一対の導電部材と、
設置部に取り付けられる筐体とを備えること
を特徴とする通信装置。
【請求項２】
請求項１に記載の通信システムの通信装置において、
前記ループアンテナよりも前記設置部側に配置された磁性体を備えること、
を特徴とする通信システムの通信装置。
【請求項３】
電磁誘導方式又は電磁結合方式で近距離無線通信可能なＩＣチップと、
前記ＩＣチップに接続された一対の導電プレートとを備える表示媒体と、
利用者が所持し、
近距離無線通信する端末ループアンテナと、
利用者に対して情報を伝達する端末伝達部と、
端末制御部とを備える情報端末と、
を有する通信システムの前記表示媒体及び前記情報端末間の通信を中継する請求項１又は請求項２に記載の通信装置である中継通信装置であって、
前記ループアンテナである中継ループアンテナと、
前記表示媒体の前記一対の導電プレートが対向するように配置され、前記中継ループアンテナの両端に接続された前記一対の導電部材とを備え、
利用者が前記情報端末をこの中継通信装置にかざすことにより、前記端末ループアンテナ及び前記中継ループアンテナが電磁誘導方式又は電磁結合方式で信号伝達し、前記一対の導電プレート及び前記一対の導電部材を向かい合わせることにより静電結合方式で信号伝達することによって、前記端末制御部が前記表示媒体の前記ＩＣチップと通信すること、
を特徴とする通信システムの中継通信装置。
【請求項４】
請求項３に記載の通信システムの中継通信装置において、
前記筐体は、
前記表示媒体を交換可能に配置し、
前記表示媒体の前記一対の導電プレートを、前記一対の導電部材と対応する位置に配置すること、
を特徴とする通信システムの中継通信装置。
【請求項５】
請求項３又は請求項４に記載の通信システムの中継通信装置において、
前記表示媒体は、ポスタであり、
前記筐体は、
前記設置部である壁面に設置され、
前記ポスタを交換可能に掲示すること、
を特徴とする通信システムの中継通信装置。
【請求項６】
請求項３から請求項５のいずれか１項に記載の通信システムの中継通信装置において、
前記情報端末が読み取り可能であり、この中継通信装置の識別情報を記憶する識別情報記憶部を備えること、
を特徴とする通信システムの中継通信装置。
【請求項７】
利用者が所持し、
近距離無線通信する端末ループアンテナと、
利用者に対して情報を伝達する端末伝達部と、
端末制御部とを備える情報端末と、
近距離無線通信する中継ループアンテナと、
前記中継ループアンテナの両端に接続された一対の導電部材とを備える中継通信装置と、
を有する通信システムの前記中継通信装置に中継されて前記情報端末との間で通信する表示媒体であって、
電磁誘導方式又は電磁結合方式で前記中継通信装置と近距離無線通信可能なＩＣチップと、
前記中継通信装置の前記一対の導電部材と対向するように配置され、前記ＩＣチップに接続された一対の導電プレートとを備え、
利用者が前記情報端末を前記中継通信装置にかざすことにより、前記端末ループアンテナ及び前記中継ループアンテナが電磁誘導方式又は電磁結合方式で信号伝達し、前記一対の導電プレート及び前記一対の導電部材を向かい合わせることにより静電結合方式で信号伝達することにより、前記情報端末の前記端末制御部が前記ＩＣチップと通信すること、
を特徴とする通信システムの表示媒体。
【請求項８】
請求項７に記載の通信システムの表示媒体において、
前記ＩＣチップは、前記情報端末の利用者に対する伝達情報に関する情報である伝達関連情報を記憶すること、
を特徴とする通信システムの表示媒体。
【請求項９】
請求項８に記載の通信システムの表示媒体において、
前記伝達関連情報は、この表示媒体の表示内容に関連した情報であること、
を特徴とする通信システムの表示媒体。
【請求項１０】
請求項３から請求項８までのいずれか１項に記載の中継通信装置と、表示媒体と、情報端末とを備える通信システム。
【請求項１１】
請求項１０に記載の通信システムにおいて、
前記情報端末又は前記情報端末と通信するサーバに設けられ、前記ＩＣチップの伝達関連情報と、前記情報端末に出力する情報であり利用者に伝達する伝達情報とを対応付けて記憶する出力情報記憶部を備え、
前記端末制御部は、前記伝達関連情報に基づいて前記出力情報記憶部から読み出された前記伝達情報を、前記端末伝達部から利用者に対して伝達すること、
を特徴とする通信システム。
【発明の詳細な説明】
【技術分野】
【０００１】
本発明は、通信装置、電磁誘導方式又は電磁結合方式を利用した通信システムの中継通信装置、通信システムの表示媒体、通信システムに関するものである。
【背景技術】
【０００２】
従来、ループアンテナとＩＣチップとが接続され、特定の広告情報が記録された非接触情報記録媒体（非接触ＩＣカード、ラベル等）を紙等の広告媒体に貼り付けて掲示する、通信システムがあった（例えば特許文献１）。この通信システムは、ループアンテナを有する携帯電話機等の通信機能付き情報端末を広告媒体に近づけ、広告媒体等の非接触情報記録媒体から、その広告情報（ＵＲＬ情報等）を、電磁誘導方式で通信して読み取り、情報端末の画面に表示させる
しかし、従来の通信システムは、ループアンテナを形成するために非接触情報記録媒体が高コストであった。また、広告媒体を変更する度に、非接触情報記録媒体を新たに用意する必要があり、ループアンテナを新たに形成しなくてはならない。このため、運用コストが高くなるという問題があった。さらに、広告媒体等の裏面の貼り付けスペースの材質が金属の場合、電磁波が遮蔽されてしまい、非接触情報記録媒体の通信特性が劣化してしまうという問題があった。
【先行技術文献】
【特許文献】
【０００３】
【特許文献１】特開２００２−１８５５６５号公報
【発明の概要】
【発明が解決しようとする課題】
【０００４】
本発明の課題は、低コストで運用することができ、また、取り付けスペースの材質に関わらず通信できる通信システムの中継通信装置、通信システムの表示媒体、通信システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、電磁誘導方式又は電磁結合方式で通信可能なＩＣチップ（４１，１４１，２４１）と、前記ＩＣチップに接続された一対の導電プレート（４２Ａ，４２Ｂ，１４２Ａ，１４２Ｂ，２４２Ａ，２４２Ｂ）とを備える表示媒体（４０，１４０，２４０）と、利用者が所持し、端末ループアンテナ（２１，１２１）と、利用者に対して情報を伝達する端末伝達部（２２，１２２）と、端末制御部（２４，１２４）とを備える情報端末（２０，１２０）と、を有する通信システム（１，１０１，２０１）の前記表示媒体及び前記情報端末間の通信を中継する中継通信装置（３０，１３０，２３０）であって、中継ループアンテナ（３１，１３１，２３１）と、前記表示媒体の前記一対の導電プレートが対向するように配置され、前記中継ループアンテナの両端に接続された一対の導電部材（３２Ａ，３２Ｂ，１３２Ａ，１３２Ｂ，２３２Ａ，２３２Ｂ）とを備え、利用者が前記情報端末をこの中継通信装置にかざすことにより、前記端末ループアンテナ及び前記中継ループアンテナが電磁誘導方式又は電磁結合方式で信号伝達し、前記一対の導電プレート及び前記一対の導電部材を向かい合わせることにより静電結合方式で信号伝達することによって、前記端末制御部が前記表示媒体の前記ＩＣチップと通信すること、を特徴とする通信システムの中継通信装置である。
・第２の発明は、第１の発明の通信システムの中継通信装置において、前記表示媒体（１４０，２４０）を交換可能に配置し、前記表示媒体の前記一対の導電プレート（１４２Ａ，１４２Ｂ，２４２Ａ，２４２Ｂ）を、前記一対の導電部材（１３２Ａ，１３２Ｂ，２３２Ａ，２３２Ｂ）と対応する位置に配置する筐体（１３４，１３５，２３４，２３５）を備えること、を特徴とする通信システムの中継通信装置である。
・第３の発明は、第２の発明の通信システムの中継通信装置において、前記表示媒体は、ポスタ（１４０，２４０）であり、前記筐体（１３４，１３５，２３４，２３５）は、壁面（１３９）に設置され、前記ポスタを交換可能に掲示すること、を特徴とする通信システムの中継通信装置である。
・第４の発明は、第３の発明の通信システムの中継通信装置において、前記情報端末（１４０，２４０）が読み取り可能であり、この中継通信装置（１３０，２３０）の識別情報を記憶する識別情報記憶部（１３３）を備えること、を特徴とする通信システムの中継通信装置である。
・第５の発明は、第１から第４までのいずれかの発明の通信システムの中継通信装置において、前記中継ループアンテナ（１３１，２３１）の前記情報端末（１２０）をかざす方向とは反対側（Ｙ２）に配置された磁性体（１３７，２３７）を備えること、を特徴とする通信システムの中継通信装置である。
【０００７】
・第６の発明は、利用者が所持し、端末ループアンテナ（２１，１２１）と、利用者に対して情報を伝達する端末伝達部（２２，１２２）と、端末制御部（２４，１２４）とを備える情報端末（２０，１２０）と、中継ループアンテナ（３１，１３１，２３１）と、前記中継ループアンテナの両端に接続された一対の導電部材（３２Ａ，３２Ｂ，１３２Ａ，１３２Ｂ，２３２Ａ，２３２Ｂ）とを備える中継通信装置（３０，１３０，２３０）と、を有する通信システムの前記中継通信装置に中継されて前記情報端末との間で通信する表示媒体（４０，１４０，２４０）であって、電磁誘導方式又は電磁結合方式で前記中継通信装置と通信可能なＩＣチップ（４１，１４１，２４１）と、前記中継通信装置の前記一対の導電部材と対向するように配置され、前記ＩＣチップに接続された一対の導電プレート（４２Ａ，４２Ｂ，１４２Ａ，１４２Ｂ，２４２Ａ，２４２Ｂ）とを備え、利用者が前記情報端末を前記中継通信装置にかざすことにより、前記端末ループアンテナ及び前記中継ループアンテナが電磁誘導方式又は電磁結合方式で信号伝達し、前記一対の導電プレート及び前記一対の導電部材を向かい合わせることにより静電結合方式で信号伝達することにより、前記情報端末の前記端末制御部が前記ＩＣチップと通信すること、を特徴とする通信システムの表示媒体である。
・第７の発明は、第６の発明の通信システムの表示媒体において、前記ＩＣチップ（４１，１４１，２４１）は、前記情報端末の利用者に対する伝達情報に関する情報である伝達関連情報を記憶すること、を特徴とする通信システムの表示媒体である。
・第８の発明は、第７の発明の通信システムの表示媒体において、前記伝達関連情報は、この表示媒体（４０，１４０，２４０）の表示内容に関連した情報であること、を特徴とする通信システムの表示媒体である。
【０００８】
・第９の発明は、第１から第８までのいずれかの発明の中継通信装置（３０，１３０，２３０）と、表示媒体（４０，１４０，２４０）と、情報端末（２０，１２０）とを備える通信システムである。
・第１０の発明は、第９の発明の通信システムにおいて、前記情報端末（２０，１２０）又は前記情報端末と通信するサーバ（５０，１５０）に設けられ、前記ＩＣチップ（４１，１４１，２４１）の伝達関連情報と、前記情報端末に出力する情報であり利用者に伝達する伝達情報とを対応付けて記憶する出力情報記憶部（１５１）を備え、前記端末制御部（２４，１２４）は、前記伝達関連情報に基づいて前記出力情報記憶部から読み出された前記伝達情報を、前記端末伝達部（２２，１２２）から利用者に対して伝達すること、を特徴とする通信システムである。
【発明の効果】
【０００９】
本発明によれば、低コストで運用することができ、また、取り付けスペースの材質に関わらず通信できる通信システムの中継通信装置、通信システムの表示媒体、通信システムを提供できる。
【図面の簡単な説明】
【００１０】
【図１】第１実施形態の通信システム１の基本構成を説明する図である。
【図２】第２実施形態の中継通信装置１３０、ポスタ１４０を示す図である。
【図３】第２実施形態の情報端末１２０、中継通信装置１３０、ポスタ１４０が通信を行う構成を説明する断面図（図２（ａ−１）のIII−III部断面図）である。
【図４】第２実施形態の広告システム１０１のブロック図である。
【図５】第２実施形態の広告システム１０１の動作を説明するフローチャートである。
【図６】第３実施形態の広告システム２０１の中継通信装置２３０、ポスタ２４０の構成を説明する図である。
【発明を実施するための形態】
【００１１】
（第１実施形態）
以下、図面等を参照して、本発明の第１実施形態について説明する。
（基本構成）
最初に、第１実施形態の通信システム１の通信方法の基本構成について説明する。
図１は、第１実施形態の通信システム１の基本構成を説明する図である。
図１（ａ）は、通信システム１の通信方法を説明する概念図である。
図１（ｂ）は、通信システム１の全体構成を説明する概念図である。
【００１２】
通信システム１は、図１（ａ）、図１（ｂ）に示すように、情報端末２０、中継通信装置３０、表示媒体４０、サーバ５０、基地局６０を備える。
情報端末２０は、利用者が携行する携帯電話機、ＰＤＡ等の携帯情報端末である。情報端末２０は、インターネット等の通信網２を介して、サーバ５０と情報通信できる。
情報端末２０は、端末ループアンテナ２１、表示部２２（端末伝達部）、アンテナ２３、端末制御部２４を備える。
【００１３】
端末ループアンテナ２１は、中継通信装置３０の中継ループアンテナ３１（後述する）と電磁誘導方式で通信を行うアンテナである。端末ループアンテナ２１は、その両端が端末制御部２４に接続される。端末ループアンテナ２１は、例えば、３回巻き程度のループアンテナである。
【００１４】
表示部２２は、例えば、液晶表示装置である。表示部２２は、情報端末２０の操作情報を表示したり、後述するように閲覧情報を表示して利用者に伝達する。
アンテナ２３は、情報端末２０が通信網２を利用するために、基地局６０との間で情報を送受信するためのものである。
端末制御部２４は、情報端末２０を統括的に制御する制御部であり、例えばＣＰＵ等から構成される。
【００１５】
中継通信装置３０は、情報端末２０と、表示媒体４０に設けられたＩＣチップ４１（後述する）との間の通信を可能にする装置である。
中継通信装置３０は、中継ループアンテナ３１、中継導電部材３２Ａ，３２Ｂを備える。
中継ループアンテナ３１は、端末ループアンテナ２１との間で電磁誘導方式により信号伝達（結合）するアンテナである。中継ループアンテナ３１は、例えば、３回巻き程度のループアンテナである。中継ループアンテナ３１は、例えば、エッチング等の手法により、プリント配線基板上に銅パターンを配線して形成される。
【００１６】
中継導電部材３２Ａ，３２Ｂは、銅等の導電性材料を板状に形成した部材である。各中継導電部材３２Ａ，３２Ｂは、それぞれ中継ループアンテナ３１の両端に電気的に接続されている。中継導電部材３２Ａ，３２Ｂは、例えば長さ１ｍｍ程度の間隔を隔てて並列に配置されている。
中継導電部材３２Ａ，３２Ｂは、表示媒体４０に設けられた一対の導電プレート４２Ａ，４２Ｂ（後述する）にほぼ密着（例えば、中継導電部材３２Ａ，３２Ｂの表面と、導電プレート４２Ａ，４２Ｂの裏面との距離Ｌが２ｍｍ程度）するように、それぞれ対向配置されることによって、導電プレート４２Ａ，４２Ｂと静電結合する。
【００１７】
表示媒体４０は、後述するポスタ１４０等のように、表面に印刷等による表示が施されている。
表示媒体４０は、紙等の印刷シートの裏面（印刷等がされた表面とは反対側の面）に、ＩＣチップ４１、一対の導電プレート４２Ａ，４２Ｂ、基材４３を備える。
ＩＣチップ４１は、電磁誘導方式で通信可能な集積回路であり、従来の電磁誘導方式のＩＣカードに内蔵されているものと、同種のものである。ＩＣチップ４１は、その動作に必要なプログラム、情報等を記憶する記憶部（図４参照）と、この記憶部に記憶された各種プログラムを適宜読み出して実行することによりその動作を統括的に制御する制御部とを備える。
ＩＣチップ４１は、厚さが例えば約１５０μｍである。ＩＣチップ４１は、導電プレート４２Ａ，４２Ｂ間のスリット４０ａを跨ぐように配置されている。
後述するように、ＩＣチップ４１の記憶部には、サーバ５０の閲覧情報にアクセスするためのＵＲＬ（Uniform  Resource  Locator）情報等の伝達関連情報を記憶している。
【００１８】
ＩＣチップ４１の入出力部（リードフレーム等）は、導電プレート４２Ａ，４２Ｂに対して、異方性導電性ペースト、異方性導電性フィルム、導電性接着剤等の接続部材によって、電気的及び機械的に接続されている。なお、ＩＣチップ４１が電磁誘導方式によるものであるため、この入出力部は、本来、ループアンテナに接続されるものである。
導電プレート４２Ａ，４２Ｂは、それぞれ厚さ１０μｍのアルミニウム箔等である。導電プレート４２Ａ，４２Ｂは、例えば長さ０．５ｍｍ程度の間隔を隔てて並列に配置されている。
【００１９】
基材４３は、表層４３ａ、裏層４３ｂを備える。表層４３ａ、裏層４３ｂは、例えば、紙材、樹脂シート、粘着材等である。
表層４３ａ及び裏層４３ｂ間には、ＩＣチップ４１、導電プレート４２Ａ，４２Ｂが挟み込まれるように配置されている。これにより、ＩＣチップ４１、導電プレート４２Ａ，４２Ｂ、基材４３は、全体としてカード状又はラベル状に形成される。そして、表層４３ａの表面が表示媒体４０の裏面に、接着材、両面テープ等によって貼付されることにより、ＩＣチップ４１、導電プレート４２Ａ，４２Ｂが、表示媒体４０に保持される。
なお、基材４３を設けずに、ＩＣチップ４１、導電プレート４２Ａ，４２Ｂを、表示媒体４０の裏面に直接形成するようにしてもよい。この場合には、表示媒体４０の全体の厚みを薄くできるので、複数の表示媒体４０を重ねても、かさばりにくい。
【００２０】
サーバ５０は、ＷＥＢサーバとして機能するコンピュータである。サーバ５０は、ＩＣチップ４１に記憶したＵＲＬ情報に対応する伝達情報を記憶している。伝達情報は、情報端末２０の表示部２２に表示して利用者に伝達する閲覧情報であり、表示媒体４０の表示のさらに詳細な情報である。サーバ５０は、情報端末２０からの要求に応じて、伝達情報を情報端末２０に送信する。
基地局６０は、情報端末との間で無線で情報通信するアンテナ等を備える。基地局６０は、通信網２に接続されている。
【００２１】
（通信方法）
次に、本実施形態の通信システム１の基本的な通信方法について説明する。
（情報端末２０及び中継通信装置３０間の接続）
情報端末２０及び中継通信装置３０は、端末ループアンテナ２１及び中継ループアンテナ３１によって、電磁誘導方式で非接触で接続される。
電磁誘導方式を用いたＩＣチップの通信方式は、ＩＳＯ／ＩＥＣ１４４４３，ＩＳＯ／ＩＥＣ１５６９３，ＩＳＯ／ＩＥＣ１８０９２にて規格化されており、１３．５６ＭＨｚの信号周波数が用いられる。
なお、端末ループアンテナ２１及び中継ループアンテナ３１の巻数は、３巻程度である例を説明したが、これに限定されない。両者の間が電磁誘導方式により非接触で接続される巻数であればよく、巻数は、例えば１巻以上であればよい。
【００２２】
（中継通信装置３０及び表示媒体４０のＩＣチップ４１間の接続）
中継通信装置３０及び表示媒体４０のＩＣチップ４１は、中継導電部材３２Ａ，３２Ｂ及び導電プレート４２Ａ，４２Ｂを向かい合わせることにより、コンデンサプレートとして機能して、両者の間が静電結合方式により非接触で接続される。
情報端末２０の端末ループアンテナ２１が中継通信装置３０の中継ループアンテナ３１に接近することにより中継ループアンテナ３１に起電力が発生し、中継導電部材３２Ａ，３２Ｂ及び導電プレート４２Ａ，４２Ｂが静電結合し、ＩＣチップ４１に駆動電力が伝達される。
ＩＣチップ４１は、駆動電力が供給されると、情報端末からの読み取り処理命令に基づき、ＩＣチップ４１に記憶されたＵＲＬ情報を、中継導電部材３２Ａ，３２Ｂ及び導電プレート４２Ａ，４２Ｂ、中継ループアンテナ３１を介して情報端末２０へと送信する。
【００２３】
以上により、通信システム１は、中継通信装置３０を介して、情報端末２０と表示媒体４０のＩＣチップ４１との間で通信処理を行うことができる。
（情報端末２０及びサーバ５０間の接続）
情報端末２０及びサーバ５０間は、通信網２を介した通信である。
情報端末２０は、通信網２を介して伝達関連情報をサーバ５０に送信する。サーバ５０は、その伝達関連情報に対応した伝達情報を情報端末２０に返信する。情報端末２０は、伝達情報を受信すると表示部２２に伝達情報を表示し、その内容を利用者に伝達する。
以上説明したように、本実施形態の通信システム１は、ポスタ等の表示媒体４０に導電プレート４２Ａ，４２Ｂ等を設ければよい。このため、表示媒体４０のループアンテナのエッチング等による形成工程が不要であるため、低コストで表示媒体４０を製造できる。これにより、表示媒体４０の発行量が多くなる程、従来の通信システムと比較してコスト面で有利になり、低コストで通信システムを構築できる。
また、通信システム１は、表示媒体４０のＩＣチップ４１として、市場で流通している電磁誘導方式の非接触式ＩＣカードのＩＣチップを流用でき、かつ、既存の携帯電話機等の情報端末２０を流用してシステムを構成できる。これにより、静電結合用の特殊なＩＣチップと、情報端末とを新たに開発しなくても、システムを構築できる。このため、低コストでシステムを導入できる。
【００２４】
（第２実施形態）
次に、第１実施形態の通信システム１を利用した第２実施形態の広告システム１０１について説明する。
なお、以下の説明及び図面において、第１実施形態と同様の機能を果たす部分には、末尾に同一の符号を付して、重複する説明を適宜省略する。
図２は、第２実施形態の中継通信装置１３０、ポスタ１４０を示す図である。
図２（ａ）は、中継通信装置１３０を示す図であり、図２（ａ−１）は、左側Ｘ１から見た断面図、図２（ａ−２）は、正面図（手前側Ｙ１から見た図）である。
図２（ｂ）は、ポスタ１４０の正面図である。
図３は、第２実施形態の情報端末１２０、中継通信装置１３０、ポスタ１４０が通信を行う構成を説明する断面図（図２（ａ−１）のIII−III部断面図）である。
【００２５】
図２、図３に示すように、中継通信装置１３０は、中継ループアンテナ１３１、中継導電部材１３２Ａ，１３２Ｂ、ＩＣチップ１３３、フレーム１３４、パネル１３５、蓋１３６、磁性体１３７を備える。
ＩＣチップ１３３は、中継通信装置１３０を識別する識別情報を記憶した半導体記憶装置であり、電磁誘導方式で通信可能な集積回路であり、従来の電磁誘導方式のＩＣカードに内蔵されているものと、同種のものである。ＩＣチップ１３３は、その動作に必要なプログラム、情報等を記憶する記憶部と、この記憶部に記憶された各種プログラムを適宜読み出して実行することによりその動作を統括的に制御する制御部とを備える。ＩＣチップ１３３は、厚さが例えば約１５０μｍである。ＩＣチップ１３３は、中継ループアンテナ１３１の両端に接続されている。
【００２６】
フレーム１３４、パネル１３５、蓋１３６は、中継通信装置１３０の筐体を形成する部分である。フレーム１３４、パネル１３５は、設定場所の壁面１３９等に、ネジ止め等によって設置（固定）される。
フレーム１３４は、中継通信装置１３０の縁部を形成する枠体である。フレーム１３４の内枠の大きさは、ポスタ１４０の外形とほぼ等しい。このため、ポスタ１４０は、フレーム１３４の内枠に合わせて掲示されることにより、中継通信装置１３０に対して位置決めされる。
パネル１３５は、中継通信装置１３０の底部に配置される板状の部材である。パネル１３５の表面（手前側Ｙ１の面）には、ポスタ１４０が掲示される。
【００２７】
パネル１３５は、表面を窪ませた凹部１３５ａを備える。
凹部１３５ａは、中継ループアンテナ１３１、中継導電部材１３２Ａ，１３２Ｂ、ＩＣチップ１３３、磁性体１３７を収容する。
凹部１３５ａ内の中継導電部材１３２Ａ，１３２ＢのＺＸ平面における位置は、ポスタ１４０をフレーム１３４に合うように掲示した場合における導電プレート１４２Ａ，１４２Ｂの位置に対応している。
すなわち、鉛直方向Ｚにおいて、フレーム１３４内での中継導電部材１３２Ａ，１３２Ｂの中心位置Ｚ１３２は、ポスタ１４０の導電プレート１４２Ａ，１４２Ｂの中心位置Ｚ１４２に等しい。また、左右方向Ｘにおいて、フレーム１３４内での中継導電部材１３２Ａ，１３２Ｂの範囲Ｘ１３２内に、導電プレート１４２Ａ，１４２Ｂの範囲Ｘ１４２が納まるようになっている。
なお、中継導電部材１３２Ａ，１３２Ｂの左右方向Ｘの長さは、ポスタ１４０の導電プレート１４２Ａ，１４２Ｂよりも長い。この理由は、ポスタ１４０の製造時、掲示時における導電プレート１４２Ａ，１４２Ｂの位置ズレを吸収するためである。
【００２８】
図３に示すように、蓋１３６は、凹部１３５ａの開口部を塞ぐように設けられている。蓋１３６は、凹部１３５ａ内部の部材を保護したり、凹部１３５ａ部分でのポスタ１４０の歪みを防止する。
蓋１３６の表面には、ポスタ１４０のＩＣチップ１４１、導電プレート１４２Ａ，１４２Ｂの逃げとなる溝１３６ａが設けられている。溝１３６ａ部分での蓋１３６の厚みは、ポスタ１４０の導電プレート１４２Ａ，１４２Ｂ及び中継導電部材１３２Ａ，１３２Ｂがほぼ密着して対向配置できる程度に十分に薄い。
【００２９】
磁性体１３７は、中継ループアンテナ１３１よりも奥側Ｙ２（端末ループアンテナ１２１と通信する側とは反対側）に設けられたフェライトシートである。磁性体１３７は、中継通信装置１３０を設置する壁面１３９が金属等である場合において、端末ループアンテナ２１及び中継ループアンテナ１３１間の通信特性が劣化するのを防ぐことができる。
【００３０】
ポスタ１４０は、画鋲、接着テープ等によって、パネル１３５に交換可能に取り付けられる。このため、広告システム１０１は、ＩＣチップ１４１が設けられたポスタ１４０を交換すれば、中継通信装置１３０を交換することなく、情報端末１２０への出力内容を変更できる。
【００３１】
図２（ｂ）に示すように、ポスタ１４０の表面は、広告面である。
広告面は、宣伝領域１４５、かざし領域１４６を有する。
宣伝領域１４５には、小売店（○×百貨店）のバーゲンの広告が印刷されている。
かざし領域１４６は、図２（ｂ）中に二点鎖線で示すように、利用者が情報端末１２０をかざす領域である。かざし領域１４６は、ポスタ１４０が掲示された状態で、中継ループアンテナ１３１に対応する位置である。かざし領域１４６には、利用者が分かりやすいように、印刷１４６ａが施されている。
フレーム１３４の内枠内における中継ループアンテナの中心位置（Ｘ１３１，Ｚ１３１）と、印刷１４６ａの中心位置（Ｘ１４６，Ｚ１４６）とは、等しい。
一方、前述したように、ポスタ１４０の裏面には、中継導電部材１３２Ａ，１３２Ｂに対応した位置に、ＩＣチップ１４１、導電プレート１４２Ａ，１４２Ｂが設けられる。
【００３２】
このため、作業者は、フレーム１３４の内枠に合わせてポスタ１４０を掲示するだけで、かざし領域１４６の印刷１４６ａを中継ループアンテナ１３１に対応した位置に配置でき、かつ、導電プレート１４２Ａ，１４２Ｂを中継導電部材１３２Ａ，１３２Ｂに対応した位置に配置できる。これにより、従来のいわゆる電波ポスタと同様に、ポスタ１４０を簡単に取り付けできる。
【００３３】
次に、広告システム１０１のブロック図について説明する。
図４は、第２実施形態の広告システム１０１のブロック図である。
広告システム１０１は、情報端末１２０、３組の中継通信装置１３０（１３０−１，１３０−２，１３０−３）及びポスタ１４０の組み合わせ、サーバ１５０を備える。
【００３４】
中継通信装置１３０−１，１３０−２，１３０−３及びポスタ１４０の組み合わせは、鉄道の駅やその改札口等が異なる設置場所Ｐ１，Ｐ２，Ｐ３の壁面に設置されている。
なお、これらの組み合わせは、実際には、３組以上設けられているが、本実施形態では、３組として説明を簡略した。
中継通信装置１３０−１，１３０−２，１３０−３のＩＣチップ１３３−１，１３３−２，１３３−３は、各中継通信装置を識別できるように異なる識別情報を記憶する。
一方、３つのポスタ１４０は、全て同じものである。つまり、各広告面は、同一の記載内容であり、また、各ＩＣチップ１４１は、サーバ１５０にアクセスするための同一のＵＲＬ情報１４１ａを記憶する。
【００３５】
サーバ１５０は、サーバ記憶部１５１、サーバ制御部１５２を備える。
サーバ記憶部１５１は、サーバ１５０の動作に必要なプログラム、情報等を記憶する半導体メモリ素子、ハードディスク等の記憶装置である。
サーバ記憶部１５１は、ＵＲＬ情報記憶部１５１ａ、閲覧情報記憶部１５２ｂ（伝達情報記憶部）、履歴情報記憶部１５２ｃを有する。
【００３６】
ＵＲＬ情報記憶部１５１ａは、ＩＣチップ１４１のＵＲＬ情報１４１ａに対応したＵＲＬ情報を記憶する記憶領域である。
閲覧情報記憶部１５２ｂは、ＵＲＬ情報記憶部１５１ａのＵＲＬ情報に対応付いた閲覧情報（伝達情報）を記憶する記憶領域である。
閲覧情報は、画像情報である。閲覧情報は、ポスタ１４０の広告の詳細な情報を記憶している。本実施形態では、バーゲンに関する広告であるので、閲覧情報は、バーゲンの商品の詳細な情報や、百貨店での催し等に関する情報である。なお、閲覧情報は、画像情報内にリンク等を設けて、広告のさらに詳細な情報を提供できるようにしてもよい。
【００３７】
このように、広告システム１０１は、閲覧情報をＩＣチップ１４１ではなくサーバ１５０に記憶するので、容量の大きい閲覧情報を記憶できる。また、広告システム１０１は、日付毎に閲覧情報を書き換えれば、伝達内容を臨機応変に変更できる。
【００３８】
履歴情報記憶部１５２ｃは、情報端末１２０からの通信履歴を記憶する記憶領域である。
閲覧履歴は、情報端末１２０から中継通信装置１３０の識別情報を受信した場合に、その識別情報の受信履歴を記憶した情報である。
【００３９】
サーバ制御部１５２は、サーバ１５０を統括的に制御するための制御装置であり、例えばＣＰＵ等から構成される。制御部２７は、サーバ記憶部１５１に記憶された各種プログラムを適宜読み出して実行することにより、前述したハードウェアと協働し、本発明に係る各種機能を実現している。
サーバ制御部１５２は、情報端末１２０からの要求に応じて、閲覧情報を情報端末１２０に送信したり、サーバ記憶部１５１の管理を行ったりする。
【００４０】
次に、広告システム１０１の動作について説明する。
図５は、第２実施形態の広告システム１０１の動作を説明するフローチャートである。
Ｓ１において、利用者が情報端末１２０をかざし領域１４６にかざすと、端末制御部１２４は、ポスタ１４０のＩＣチップ１４１からＵＲＬ情報１４１ａを読み出すと同時若しくはステップ的に、ＩＣチップ１３３から中継通信装置１３０の識別情報を読み出す。
Ｓ２において、端末制御部１２４は、識別情報及びＵＲＬ情報１４１ａをサーバ１５０に送信する。
【００４１】
Ｓ３において、サーバ制御部１５２は、識別情報及びＵＲＬ情報１４１ａを受信すると、受信した識別情報を閲覧情報として、履歴情報記憶部１５２ｃに記憶する。
このため、履歴情報記憶部１５２ｃは、端末制御部１２４から識別情報を受信する毎に、識別情報が記憶されていく。これにより、識別情報と設置場所Ｐ１，Ｐ２，Ｐ３を対応付けたテーブルを作成しておけば、管理者は、履歴情報記憶部１５２ｃの受信履歴を解析することにより、広告の効果（どの位置に掲示したポスタ１４０を利用者がよく見ているか等）を調べることができる。
【００４２】
Ｓ４において、サーバ制御部１５２は、受信したＵＲＬ情報１４１ａに基づいて、ＵＲＬ情報記憶部１５１ａに対応付いた閲覧情報記憶部１５２ｂから、閲覧情報を読み出して情報端末１２０に送信する。そして、サーバ制御部１５２は、サーバ１５０側の処理を終了する（Ｓ５）。
Ｓ６において、端末制御部１２４は、閲覧情報を受信すると表示部１２２に表示する。そして、端末制御部１２４は、情報端末１２０側の処理を終了する（Ｓ７）。
以上の処理によって、情報端末１２０は、ポスタ１４０の広告のより詳細な閲覧情報を、利用者に対して伝達できる。
【００４３】
以上説明したように、本実施形態の広告システム１０１は、ポスタ１４０のＩＣチップ１４１にＵＲＬ等を記憶するので、利用者は、情報端末１２０をポスタ１４０にかざすことにより、そのＵＲＬ等の情報に対応付いた閲覧情報を得ることができる。一方、管理者（サービス提供者）は、中継通信装置にＩＣチップ１３３に記憶された設置場所等の識別情報を受信し、各識別情報毎のアクセス数を解析することにより、各ポスタ１４０の利用頻度、すなわち広告の効果を調べることができる。
【００４４】
（第３実施形態）
次に、本発明の第３実施形態について説明する。
図６は、第３実施形態の広告システム２０１の中継通信装置２３０、ポスタ２４０の構成を説明する図である。
図６（ａ）は、中継通信装置２３０の正面図である。
図６（ｂ）は、中継通信装置２３０にポスタ２４０を掲示した状態の正面図である。
【００４５】
図６（ａ）に示すように、中継通信装置２３０は、中継ループアンテナ２３１がフレーム２３４内部に設けられている。
図６（ｂ）に示すように、ポスタ２４０の広告面には、中継ループアンテナ２３１の位置を指定して、情報端末１２０をかざすことによって、詳細な情報を取得することができる説明２４７が記載されている。
【００４６】
以上説明したように、本実施形態の広告システム２０１は、中継ループアンテナ３１がフレーム２３４内部に設けられているので、第２実施形態のようなかざし領域１４６の印刷１４６ａ（図２（ｂ）参照）が不要である。これにより、ポスタ２４０は、この印刷位置のずれ等を考慮する必要がなく、製造が容易である。
また、ポスタ２４０は、かざし領域１４６の印刷１４６ａが不要である分、宣伝領域２４５の面積を、第２実施形態よりも大きくできる。なお、宣伝領域２４５の面積は、説明２４７をフレーム２３４に設ければ、より大きくできる。
【００４７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４８】
（変形形態）
（１）実施形態において、端末ループアンテナ及び中継ループアンテナ間は、電磁誘導方式により通信する例を示したが、これに限定されない。例えば、端末ループアンテナ及び中継ループアンテナ間は、電磁結合方式で通信可能でもよい。
（２）実施形態において、表示媒体は、ポスタである例を示したが、これに限定されない。表示媒体は、例えば、ＰＯＰ広告であってもよい。
【００４９】
（３）実施形態において、伝達情報は、バーゲンの詳細な情報である閲覧情報の画像データの例を示したが、これに限られない。例えば、伝達情報は、音声情報や、動画データであってもよい。伝達情報が音声情報である場合には、情報端末のスピーカ等が、音声情報を出力すればよい。
（４）実施形態において、サーバが、ＵＲＬ情報に基づいて、閲覧情報（伝達情報）を読み出す例を示したが、これに限定されない。例えば、閲覧情報は、情報端末の記憶部に記憶してもよい。この場合には、ＩＣチップに伝達関連情報を記憶しておき、端末制御部が、伝達関連情報に基づいて閲覧情報を読み出せばよい。
【００５０】
（５）実施形態において、ＵＲＬ情報及び閲覧情報の組み合わせは、１組である例を示したが、これに限定されない。ＵＲＬ情報及び閲覧情報の組み合わせを複数設けてもよい。
この場合には、例えば、博物館、美術館等の展示物の説明システムに利用できる。すなわち、各展示物の近傍に各展示物に対応したＵＲＬ情報を有する表示媒体及び中継通信装置をそれぞれ設け、ＵＲＬ情報に対応した閲覧情報をサーバ等に設けることにより、情報端末を表示媒体にかざして、各展示物の詳細な閲覧情報を、情報端末に出力できる。
【符号の説明】
【００５１】
１  通信システム
２０，１２０  情報端末
２１，１２１  端末ループアンテナ
２２，１２２  表示部
２３  アンテナ
２２，１２２  制御部
３０，１３０，２３０  中継通信装置
３１，１３１，２３１  中継ループアンテナ
３２Ａ，３２Ｂ，１３２Ａ、１３２Ｂ，２３２Ａ，２３２Ｂ  中継導電部材
１３７，２３７  磁性体
４０，１４０，２４０  ポスタ
４１，１４１，２４１  ＩＣチップ
４２Ａ，４２Ｂ，１４２Ａ，１４２Ｂ，２４２Ａ，２４２Ｂ  導電プレート
５０，１５０  サーバ
６０，１６０  基地局
１０１，２０１  広告システム
１３３  ＩＣチップ
１３４，２３４  フレーム
【図１】
0005895491.tif 000002
【図２】
0005895491.tif 000003
【図３】
0005895491.tif 000004
【図４】
0005895491.tif 000005
【図５】
0005895491.tif 000006
【図６】
0005895491.tif 000007